(57)【要約】【課題】移動体通信端末装置の紛失、盗難等の際に、移動体通信端末装置の保持する登録情報を遠隔操作により読み出すことで、移動体通信端末装置の保持する登録情報の消失または不正使用を防止することが可能な移動体通信端末装置を提供する。【解決手段】遠隔操作により、メールアドレスとパスワードとを移動体通信端末装置に送信することで、移動体通信端末装置は、該受信したメールアドレスが、あらかじめ移動体通信端末装置に設定された救済回路起動用のメールアドレスと一致するか否かを判定し、該判定により一致すると判定した場合に、パスワードの参照処理を実行し、該参照したパスワードがあらかじめ設定登録されたパスワードと一致した場合に、あらかじめ移動体通信端末装置に設定登録された優先順毎に移動体通信端末装置の保持する登録情報が読み出され、別の通信端末装置に送信される。【選択図】        図１
2004207993.tif 000002
【特許請求の範囲】
【請求項１】
装置内部に保持する登録情報を読み出すためのメールアドレスとパスワード情報とを設定登録する登録手段と、
前記登録情報の読み出し順位を設定登録する読出順位設定手段と、
前記登録手段により設定登録されたメールアドレスを受信した際に、該受信したメールアドレスの電子メールに含まれるパスワード情報を参照する参照手段と、
前記参照手段により参照したパスワード情報が、前記登録手段により設定登録されたパスワード情報と一致したと判定した場合に、操作キーによる全ての操作を停止させると共に、前記読出順位設定手段により設定登録された読み出し順に前記登録情報を読み出して外部の通信端末装置に送信する送信手段と、
を有することを特徴とする移動体通信端末装置。
【請求項２】
装置内部に保持する登録情報を読み出すためのメールアドレスとパスワード情報とを設定登録する登録手段と、
前記登録情報の読み出し順位を設定登録する読出順位設定手段と、
前記登録手段により設定登録されたメールアドレスを受信した際に、該受信したメールアドレスの電子メールに含まれるパスワード情報を参照する参照手段と、
前記参照手段により参照したパスワード情報が、前記登録手段により設定登録されたパスワード情報と一致したと判定した場合に、読み出し処理以外の全ての操作を停止させると共に、前記読出順位設定手段により設定登録された読み出し順に前記登録情報を読み出して外部の通信端末装置に送信する送信手段と、
を有することを特徴とする移動体通信端末装置。
【請求項３】
装置内部に保持する登録情報を読み出すためのメールアドレスとパスワード情報とを設定登録する登録手段と、
前記登録情報を複数の区分に分割し、該分割した登録情報を、キーワード情報を用いて管理する管理手段と、
前記登録手段により設定登録されたメールアドレスを受信した際に、該受信したメールアドレスの電子メールに含まれるパスワード情報を参照する参照手段と、
前記参照手段により参照したパスワード情報が、前記登録手段により設定登録されたパスワード情報と一致したと判定した場合に、操作キーによる全ての操作を停止させると共に、前記電子メールに含まれるキーワード情報と一致する登録情報を読み出して外部の通信端末装置に送信する送信手段と、
を有することを特徴とする移動体通信端末装置。
【請求項４】
前記送信手段により送信する外部の通信端末装置を指定する通信端末装置指定手段を有することを特徴とする請求項１から３の何れか１項に記載の移動体通信端末装置。
【請求項５】
前記装置内部に保持する全ての登録情報を読み出したと判定した場合に、前記装置の保持する全ての機能を停止する機能停止手段を有することを特徴とする請求項１から３の何れか１項に記載の移動体通信端末装置。
【請求項６】
前記装置内部に保持する全ての登録情報を読み出したと判定した場合に、前記装置の保持する受信機能以外の全ての機能を停止する停止手段と、
前記装置にあらかじめ設定登録された前記停止手段を解除するメールアドレスとパスワードとの少なくとも１つを受信し、前記停止手段を解除する停止解除手段と、
を有することを特徴とする請求項１または３記載の移動体通信端末装置。
【請求項７】
装置内部に保持する登録情報を読み出すためのメールアドレスとパスワード情報と、前記登録情報の読み出し順位と、が設定登録された移動体通信端末装置で行う遠隔読出方法であって、
前記移動体通信端末装置に設定登録されたメールアドレスを受信した際に、該受信したメールアドレスの電子メールに含まれるパスワード情報を参照する参照工程と、
前記参照工程により参照したパスワード情報が、前記移動体通信端末装置に設定登録されたパスワード情報と一致したと判定した場合に、前記移動体通信端末装置の具備する操作キーによる全ての操作を停止させると共に、前記移動体通信端末装置に設定登録された読み出し順に前記登録情報を読み出して外部の通信端末装置に送信する送信工程と、
を行うことを特徴とする遠隔読出方法。
【請求項８】
装置内部に保持する登録情報を読み出すためのメールアドレスとパスワード情報と、前記登録情報の読み出し順位と、が設定登録された移動体通信端末装置で行う遠隔読出方法であって、
前記移動体通信端末装置に設定登録されたメールアドレスを受信した際に、該受信したメールアドレスの電子メールに含まれるパスワード情報を参照する参照工程と、
前記参照工程により参照したパスワード情報が、前記移動体通信端末装置に設定登録されたパスワード情報と一致したと判定した場合に、登録情報の読み出し以外の全ての機能を停止させると共に、前記移動体通信端末装置に設定登録された読み出し順に前記登録情報を読み出して外部の通信端末装置に送信する送信工程と、
を行うことを特徴とする遠隔読出方法。
【請求項９】
装置内部に保持する登録情報を読み出すためのメールアドレスとパスワード情報とが設定登録され、前記登録情報を複数の区分に分割し、該分割した登録情報を、キーワード情報を用いて管理した移動体通信端末装置で行う遠隔読出方法であって、
前記移動体通信端末装置に設定登録されたメールアドレスを受信した際に、該受信したメールアドレスの電子メールに含まれるパスワード情報を参照する参照工程と、
前記参照工程により参照したパスワード情報が、前記移動体通信端末装置に設定登録されたパスワード情報と一致したと判定した場合に、前記移動体通信端末装置の具備する操作キーによる全ての操作を停止させると共に、前記電子メールに含まれるキーワード情報と一致する登録情報を読み出して外部の通信端末装置に送信する送信工程と、
を行うことを特徴とする遠隔読出方法。
【請求項１０】
前記移動体通信端末装置に保持する全ての登録情報を読み出したと判定した場合に、前記移動体通信端末装置の保持する全ての機能を停止する機能停止工程を行うことを特徴とする請求項７から９の何れか１項に記載の遠隔読出方法。
【請求項１１】
移動体通信端末装置に対して遠隔読み出し処理を実行させる遠隔読出プログラムであって、
前記移動体通信端末装置において、
前記移動体通信端末装置に保持する登録情報を読み出すためのメールアドレスとパスワード情報とを設定登録する登録処理と、
前記登録情報の読み出し順位を設定登録する読出順位設定処理と、
前記登録処理により設定登録されたメールアドレスを受信した際に、該受信したメールアドレスの電子メールに含まれるパスワード情報を参照する参照処理と、
前記参照処理により参照したパスワード情報が、前記登録処理により設定登録されたパスワード情報と一致したと判定した場合に、前記移動体通信端末装置の具備する操作キーによる全ての操作を停止させると共に、前記読出順位設定処理により設定登録された読み出し順に前記登録情報を読み出して外部の通信端末装置に送信する送信処理と、
を実行させることを特徴とする遠隔読出プログラム。
【請求項１２】
移動体通信端末装置に対して遠隔読み出し処理を実行させる遠隔読出プログラムであって、
前記移動体通信端末装置において、
前記移動体通信端末装置に保持する登録情報を読み出すためのメールアドレスとパスワード情報とを設定登録する登録処理と、
前記登録情報の読み出し順位を設定登録する読出順位設定処理と、
前記登録処理により設定登録されたメールアドレスを受信した際に、該受信したメールアドレスの電子メールに含まれるパスワード情報を参照する参照処理と、
前記参照処理により参照したパスワード情報が、前記登録処理により設定登録されたパスワード情報と一致したと判定した場合に、登録情報の読み出し処理以外の全ての操作を停止させると共に、前記読出順位設定処理により設定登録された読み出し順に前記登録情報を読み出して外部の通信端末装置に送信する送信処理と、
を実行させることを特徴とする遠隔読出プログラム。
【請求項１３】
移動体通信端末装置に対して遠隔読み出し処理を実行させる遠隔読出プログラムであって、
前記移動体通信端末装置に保持する登録情報を読み出すためのメールアドレスとパスワード情報とを設定登録する登録処理と、
前記登録情報を複数の区分に分割し、該分割した登録情報を、キーワード情報を用いて管理する管理処理と、
前記登録処理により設定登録されたメールアドレスを受信した際に、該受信したメールアドレスの電子メールに含まれるパスワード情報を参照する参照処理と、
前記参照処理により参照したパスワード情報が、前記登録処理により設定登録されたパスワード情報と一致したと判定した場合に、前記移動体通信端末装置の具備する操作キーによる全ての操作を停止させると共に、前記電子メールに含まれるキーワード情報と一致する登録情報を読み出して外部の通信端末装置に送信する送信処理と、
を実行させることを特徴とする遠隔読出プログラム。
【請求項１４】
前記送信処理により送信する外部の通信端末装置を指定する通信端末装置指定処理を実行させることを特徴とする請求項１１から１３の何れか１項に記載の遠隔読出プログラム。
【請求項１５】
前記移動体通信端末装置に保持する全ての登録情報を読み出したと判定した場合に、前記移動体通信端末装置の保持する全ての機能を停止する機能停止処理を実行させることを特徴とする請求項１１から１３の何れか１項に記載の遠隔読出プログラム。
【請求項１６】
前記移動体通信端末装置に保持する全ての登録情報を読み出したと判定した場合に、前記移動体通信端末装置の保持する受信機能以外の全ての機能を停止する停止処理と、
前記移動体通信端末装置にあらかじめ設定登録された前記停止処理を解除するメールアドレスとパスワードとの少なくとも１つを受信し、前記停止処理を解除する停止解除処理と、
を実行させることを特徴とする請求項１１または１３記載の遠隔読出プログラム。
【発明の詳細な説明】
【０００１】
【発明の属する技術分野】
本発明は、紛失、盗難時に遭遇した際に、遠隔操作を用いて移動体通信端末装置の保持する内部メモリを読み出す移動体通信端末装置、遠隔読出方法及び遠隔読出プログラムに関する。
【０００２】
【従来の技術】
近年の移動体通信端末装置の発達により、ネットワークを介して様々な情報を移動体通信端末装置の具備する操作キーを用いて取得して装置内部で管理することが可能となった。しかしながら移動体通信端末装置の紛失や盗難により以下のような問題が生じる虞がある。
【０００３】
第１の問題として、移動体通信端末装置は、屋外での使用が殆どであり、紛失や盗難等に遭遇した場合に、移動体通信端末装置の具備する登録情報にアクセスができなくなるため、移動体通信端末装置の保持する登録情報を取得することができなくなる。
【０００４】
第２の問題として、移動体通信端末装置が紛失、盗難等に遭遇した場合に、移動体通信端末装置の所有者本人以外の第３者により、移動体通信端末装置の保持する登録情報が悪用されてしまう虞がある。
【０００５】
また、本発明と類似する従来技術として、メールの送受信機能を保持する携帯電話機を紛失した場合に、該携帯電話機に登録されたメモリダイヤルの内容を取得でき、また、該携帯電話機の位置を検出できる携帯電話機がある（特許文献１参照）。
【０００６】
この特許文献１における携帯電話機は、紛失した携帯電話機に対して、あらかじめ携帯電話機に定められた特定の置き忘れ対策用識別子を含むメールを送信すると、該メールを受信した携帯電話機は、メールの中に置き忘れ対策用識別子が含まれていることを判断した場合に、キー入力を不能とするキーロックを実行すると共に、メールを送信した送信元の端末にメモリダイヤルのデータを送出する。また、紛失した携帯電話機がＧＰＳ等の位置検出機能を具備することで、メモリダイヤルのデータ内容と共に、位置データを送信することが可能となる携帯電話機である。
【０００７】
【特許文献１】
特開２００２−１１１８５８号公報
【０００８】
【発明が解決しようとする課題】
しかしながら、特許文献１における携帯電話機は、電子メールを受信した際に、該受信した電子メールに、特定の置き忘れ対策用識別子が含まれていることを判断した場合に、キーロックを実行することとしているため、携帯電話機が受信した全ての電子メールに対して、特定の置き忘れ対策用識別子が含まれているか否かの判定を実行しなくてはならず、余分な処理を行うこととなる。
【０００９】
本発明は、上記事情に鑑みてなされたものであり、移動体通信端末装置の紛失、盗難等の際に、移動体通信端末装置の保持する登録情報を遠隔操作により読み出すことで、移動体通信端末装置の保持する登録情報の消失または不正使用を防止することが可能な移動体通信端末装置、遠隔読出方法及び遠隔読出プログラムを提供することを目的とする。
【００１０】
【課題を解決するための手段】
かかる目的を達成するために本発明は以下のような特徴を有する。
請求項１記載の発明は、装置内部に保持する登録情報を読み出すためのメールアドレスとパスワード情報とを設定登録する登録手段と、登録情報の読み出し順位を設定登録する読出順位設定手段と、登録手段により設定登録されたメールアドレスを受信した際に、該受信したメールアドレスの電子メールに含まれるパスワード情報を参照する参照手段と、参照手段により参照したパスワード情報が、登録手段により設定登録されたパスワード情報と一致したと判定した場合に、操作キーによる全ての操作を停止させると共に、読出順位設定手段により設定登録された読み出し順に登録情報を読み出して外部の通信端末装置に送信する送信手段と、を有することを特徴とする。
【００１１】
請求項２記載の発明は、装置内部に保持する登録情報を読み出すためのメールアドレスとパスワード情報とを設定登録する登録手段と、登録情報の読み出し順位を設定登録する読出順位設定手段と、登録手段により設定登録されたメールアドレスを受信した際に、該受信したメールアドレスの電子メールに含まれるパスワード情報を参照する参照手段と、参照手段により参照したパスワード情報が、登録手段により設定登録されたパスワード情報と一致したと判定した場合に、読み出し処理以外の全ての操作を停止させると共に、読出順位設定手段により設定登録された読み出し順に登録情報を読み出して外部の通信端末装置に送信する送信手段と、を有することを特徴とする。
【００１２】
請求項３記載の発明は、装置内部に保持する登録情報を読み出すためのメールアドレスとパスワード情報とを設定登録する登録手段と、登録情報を複数の区分に分割し、該分割した登録情報を、キーワード情報を用いて管理する管理手段と、登録手段により設定登録されたメールアドレスを受信した際に、該受信したメールアドレスの電子メールに含まれるパスワード情報を参照する参照手段と、参照手段により参照したパスワード情報が、登録手段により設定登録されたパスワード情報と一致したと判定した場合に、操作キーによる全ての操作を停止させると共に、電子メールに含まれるキーワード情報と一致する登録情報を読み出して外部の通信端末装置に送信する送信手段と、を有することを特徴とする。
【００１３】
請求項４記載の発明は、請求項１から３の何れか１項に記載の移動体通信端末装置において、送信手段により送信する外部の通信端末装置を指定する通信端末装置指定手段を有することを特徴とする。
【００１４】
請求項５記載の発明は、請求項１から３の何れか１項に記載の移動体通信端末装置において、装置内部に保持する全ての登録情報を読み出したと判定した場合に、装置の保持する全ての機能を停止する機能停止手段を有することを特徴とする。
【００１５】
請求項６記載の発明は、請求項１または３記載の移動体通信端末装置において、装置内部に保持する全ての登録情報を読み出したと判定した場合に、装置の保持する受信機能以外の全ての機能を停止する停止手段と、装置にあらかじめ設定登録された停止手段を解除するメールアドレスとパスワードとの少なくとも１つを受信し、停止手段を解除する停止解除手段と、を有することを特徴とする。
【００１６】
請求項７記載の発明は、装置内部に保持する登録情報を読み出すためのメールアドレスとパスワード情報と、登録情報の読み出し順位と、が設定登録された移動体通信端末装置で行う遠隔読出方法であって、移動体通信端末装置に設定登録されたメールアドレスを受信した際に、該受信したメールアドレスの電子メールに含まれるパスワード情報を参照する参照工程と、参照工程により参照したパスワード情報が、移動体通信端末装置に設定登録されたパスワード情報と一致したと判定した場合に、移動体通信端末装置の具備する操作キーによる全ての操作を停止させると共に、移動体通信端末装置に設定登録された読み出し順に登録情報を読み出して外部の通信端末装置に送信する送信工程と、を行うことを特徴とする。
【００１７】
請求項８記載の発明は、装置内部に保持する登録情報を読み出すためのメールアドレスとパスワード情報と、登録情報の読み出し順位と、が設定登録された移動体通信端末装置で行う遠隔読出方法であって、移動体通信端末装置に設定登録されたメールアドレスを受信した際に、該受信したメールアドレスの電子メールに含まれるパスワード情報を参照する参照工程と、参照工程により参照したパスワード情報が、移動体通信端末装置に設定登録されたパスワード情報と一致したと判定した場合に、登録情報の読み出し以外の全ての機能を停止させると共に、移動体通信端末装置に設定登録された読み出し順に登録情報を読み出して外部の通信端末装置に送信する送信工程と、を行うことを特徴とする。
【００１８】
請求項９記載の発明は、装置内部に保持する登録情報を読み出すためのメールアドレスとパスワード情報とが設定登録され、登録情報を複数の区分に分割し、該分割した登録情報を、キーワード情報を用いて管理した移動体通信端末装置で行う遠隔読出方法であって、移動体通信端末装置に設定登録されたメールアドレスを受信した際に、該受信したメールアドレスの電子メールに含まれるパスワード情報を参照する参照工程と、参照工程により参照したパスワード情報が、移動体通信端末装置に設定登録されたパスワード情報と一致したと判定した場合に、移動体通信端末装置の具備する操作キーによる全ての操作を停止させると共に、電子メールに含まれるキーワード情報と一致する登録情報を読み出して外部の通信端末装置に送信する送信工程と、を行うことを特徴とする。
【００１９】
請求項１０記載の発明は、請求項７から９の何れか１項に記載の遠隔読出方法において、移動体通信端末装置に保持する全ての登録情報を読み出したと判定した場合に、移動体通信端末装置の保持する全ての機能を停止する機能停止工程を行うことを特徴とする。
【００２０】
請求項１１記載の発明は、移動体通信端末装置に対して遠隔読み出し処理を実行させる遠隔読出プログラムであって、移動体通信端末装置において、移動体通信端末装置に保持する登録情報を読み出すためのメールアドレスとパスワード情報とを設定登録する登録処理と、登録情報の読み出し順位を設定登録する読出順位設定処理と、登録処理により設定登録されたメールアドレスを受信した際に、該受信したメールアドレスの電子メールに含まれるパスワード情報を参照する参照処理と、参照処理により参照したパスワード情報が、登録処理により設定登録されたパスワード情報と一致したと判定した場合に、移動体通信端末装置の具備する操作キーによる全ての操作を停止させると共に、読出順位設定処理により設定登録された読み出し順に登録情報を読み出して外部の通信端末装置に送信する送信処理と、を実行させることを特徴とする。
【００２１】
請求項１２記載の発明は、移動体通信端末装置に対して遠隔読み出し処理を実行させる遠隔読出プログラムであって、移動体通信端末装置において、移動体通信端末装置に保持する登録情報を読み出すためのメールアドレスとパスワード情報とを設定登録する登録処理と、登録情報の読み出し順位を設定登録する読出順位設定処理と、登録処理により設定登録されたメールアドレスを受信した際に、該受信したメールアドレスの電子メールに含まれるパスワード情報を参照する参照処理と、参照処理により参照したパスワード情報が、登録処理により設定登録されたパスワード情報と一致したと判定した場合に、登録情報の読み出し処理以外の全ての操作を停止させると共に、読出順位設定処理により設定登録された読み出し順に登録情報を読み出して外部の通信端末装置に送信する送信処理と、を実行させることを特徴とする。
【００２２】
請求項１３記載の発明は、移動体通信端末装置に対して遠隔読み出し処理を実行させる遠隔読出プログラムであって、移動体通信端末装置に保持する登録情報を読み出すためのメールアドレスとパスワード情報とを設定登録する登録処理と、登録情報を複数の区分に分割し、該分割した登録情報を、キーワード情報を用いて管理する管理処理と、登録処理により設定登録されたメールアドレスを受信した際に、該受信したメールアドレスの電子メールに含まれるパスワード情報を参照する参照処理と、参照処理により参照したパスワード情報が、登録処理により設定登録されたパスワード情報と一致したと判定した場合に、移動体通信端末装置の具備する操作キーによる全ての操作を停止させると共に、電子メールに含まれるキーワード情報と一致する登録情報を読み出して外部の通信端末装置に送信する送信処理と、を実行させることを特徴とする。
【００２３】
請求項１４記載の発明は、請求項１１から１３の何れか１項に記載の遠隔読出プログラムにおいて、送信処理により送信する外部の通信端末装置を指定する通信端末装置指定処理を実行させることを特徴とする。
【００２４】
請求項１５記載の発明は、請求項１１から１３の何れか１項に記載の遠隔読出プログラムにおいて、移動体通信端末装置に保持する全ての登録情報を読み出したと判定した場合に、移動体通信端末装置の保持する全ての機能を停止する機能停止処理を実行させることを特徴とする。
【００２５】
請求項１６記載の発明は、請求項１１または１３記載の遠隔読出プログラムにおいて、移動体通信端末装置に保持する全ての登録情報を読み出したと判定した場合に、移動体通信端末装置の保持する受信機能以外の全ての機能を停止する停止処理と、移動体通信端末装置にあらかじめ設定登録された停止処理を解除するメールアドレスとパスワードとの少なくとも１つを受信し、停止処理を解除する停止解除処理と、を実行させることを特徴とする。
【００２６】
【発明の実施の形態】
（本発明の特徴）
まず、図１を参照しながら本発明にかかる移動体通信端末装置の特徴を説明する。
本発明における移動体通信端末装置は、端末装置内部に格納された登録情報を別の通信端末装置から遠隔読み出しすることで、移動体通信端末装置の紛失、盗難等による登録情報の消失または不正使用を防止する移動体通信端末装置である。
まず、別の通信端末装置から受信したメールアドレス及びパスワードが、移動体通信端末装置にあらかじめ設定登録された救済回路起動用のメールアドレス及びパスワードと一致すると判定した場合に、救済回路が起動され、移動体通信端末装置の保持する全ての登録情報が、あらかじめ移動体通信端末装置に設定登録された優先順毎に読み出され、送信される。
【００２７】
このように、紛失、盗難等に遭遇した移動体通信端末装置の保持する登録情報を別の通信端末装置を用いて読み出すことで登録情報の消失を防止できる。
また、遠隔操作を用いて読み出した登録情報を別の通信端末装置を用いて使用することが可能となる。
また、紛失、盗難等に遭遇した移動体通信端末装置の保持する登録情報を読み出してしまうことにより、該遭遇した移動体通信端末装置の保持する登録情報が不正に使用される虞がなくなり、個人情報の保護が可能となる。また、この遠隔操作により読み出される登録情報に対してあらかじめ優先順位を設定登録することで、所有者本人が取得したい登録情報から優先的に取得することが可能となる。
【００２８】
（第１の実施の形態）
以下、添付図面を参照しながら本発明にかかる実施の形態について詳細に説明する。
まず、図１を参照しながら本発明にかかる移動体通信端末装置の構成について説明する。
本発明にかかる移動体通信端末装置は、救済回路１と、メモリ２と、ＣＰＵ３と、変換回路４と、送信回路５と、クロック作成回路６と、アンテナ７と、を有して構成される。以下各構成について説明する。
【００２９】
救済回路１は、救済回路起動用メールアドレス及びパスワードを認識し、双方ともに、一致した場合に、救済回路を起動してメモリ登録情報の読み出し制御を行う。また、メモリ登録情報の読み出し時のアドレス指示機能も有している。なお、このアドレス指示機能は、メモリ２内に保持する全てのメモリ登録情報を別の通信端末装置に送信する際に、別の通信端末装置に送信するメモリ登録情報の優先順位を決定する機能である。このアドレス指示機能により、移動体通信端末装置の所有者本人が取得したいメモリ登録情報を優先的に取得することが可能となる。
【００３０】
メモリ２は、移動体通信端末装置の内部メモリであり、個人情報、電話番号、メールアドレス等の本人にとって非常に重要で、他人に知られたくないメモリ登録情報が格納されている。
ＣＰＵ３は、移動体通信端末装置用のＣＰＵであり、移動体通信端末装置における各機能を制御する。
変換回路４は、メモリ２から読み出したメモリ登録情報を、別の通信端末装置に送信可能な形式に変換する回路である。なお、移動体通信端末装置によりデータの送信形式が異なるため、変換回路４は、搭載される移動体通信端末装置の送信形式に合わせた回路が用いられる。
【００３１】
送信回路５は、別の移動体通信端末装置へのメール送信を可能とする回路である。
クロック作成回路６は、ＣＰＵ３が動作するための内部クロック作成回路である。
アンテナ７は、データ送受信用のアンテナである。
【００３２】
上記構成からなる移動体通信端末装置は、該端末装置の紛失、盗難等によるメモリ登録情報を保護し、消失を防止するための救済機能である。このため、救済回路を起動するためのメールアドレスとパスワードとを事前に移動体通信端末装置に設定登録する。これにより、移動体通信端末装置が別の通信端末装置からメールアドレスとパスワードとを受信した際に、救済回路が起動されることとなる。なお、パスワードは、メールのタイトル部分に設定し、紛失等に遭遇した移動体通信端末装置に送信する。これにより、紛失等に遭遇した移動体通信端末装置は、別の通信端末装置から受信したメールアドレス及び該メールのタイトル部分に設定されたパスワードと、あらかじめ移動体通信端末装置自身に設定されたメールアドレス及びパスワードとが、一致したと判定した際に、救済回路が起動することとなる。また、移動体通信端末装置の保持するメモリ登録情報を送信する送信先のアドレス情報も併せて事前に移動体通信端末装置に設定登録する。
【００３３】
次に、図１、図２を参照しながら、上記構成からなる移動体通信端末装置の保持するメモリ登録情報の遠隔読み出し方法について説明する。
まず、救済回路１は、信号線８により、常に受信するメールアドレスを監視しており、救済回路起動用のメールアドレスが受信されたか否かを判定する（ステップＳ１）。該判定により、通常のメールアドレスを受信したと判定した場合は（ステップＳ１／ＮＯ）、全て読み捨てる。しかし、救済回路起動用のメールアドレスを受信したと判定した場合は（ステップＳ１／ＹＥＳ）、該受信したメールアドレスの電子メールを読み込み、タイトル部分の記述の参照を行い、タイトル部分の記述が、あらかじめ設定登録された救済回路起動用のパスワードと一致するか否かを判定する（ステップＳ２）。
この参照したタイトル部分の記述が、事前に移動体通信端末装置に設定登録された救済回路起動用のパスワードと一致したと判定した場合には（ステップＳ２／ＹＥＳ）、救済処理となるメモリ登録情報の読み出し処理に遷移する。
【００３４】
次に、救済処理となるメモリ登録情報の読み出し処理が開始されると、救済回路１は、信号線９によりＣＰＵ３における救済処理以外の全処理を停止させると共に、移動体通信端末装置における外部入力を全て無効とさせる停止処理を実行させる（ステップＳ３）。これにより、電源ＯＦＦも不可能となり、救済処理が中断される要因を排除することが可能となる。
【００３５】
次に、救済回路１は、ＣＰＵ３に対してメモリ２内に保持するメモリ登録情報の読み出し指示を送信する（ステップＳ４）。なお、救済回路１には、メモリ２内に保持するメモリ登録情報を読み出す際に用いられる読出用アドレス情報が格納されており、救済回路１は、メモリ読み出し指示と共に読出用アドレス情報をＣＰＵ３に送信する。なお、この読出用アドレス情報は、メモリ２内に保持する全てのメモリ登録情報を別の通信端末装置に送信する際に、別の通信端末装置に送信するメモリ登録情報の優先順位を決定する情報である。この読出用アドレス情報をあらかじめ移動体通信端末装置の具備する救済回路１に設定登録することで、救済処理が起動した際に、メモリ２から読み出されるメモリ登録情報に対して優先順位が設定されることとなる。従って、移動体通信端末装置の具備するメモリ２から所有者本人が必要とする情報を優先的に取得することが可能となる。なお、メモリ２内に保持するメモリ登録情報は、読出用アドレス単位に管理されることとなる。即ち、メモリ２内に保持するメモリ登録情報は、救済回路１に設定登録される読出用アドレス情報となる優先順位毎の読出用アドレス単位に区分されて管理されることとなる。
【００３６】
次に、ＣＰＵ３は、救済回路１から送信されたメモリ読み出し指示１０をメモリ２に送信し、メモリ２からメモリ登録情報の読み出し処理を実行する（ステップＳ５）。なお、メモリ登録情報の読み出し処理は、メモリ２の保持する全ての情報が対象となるため、ＣＰＵ３は、救済回路１からメモリ読み出し指示１０と共に送信された読出用アドレス情報を基に、メモリ２からメモリ登録情報を優先順に読出用アドレス単位に別の通信端末装置に送信する（ステップＳ６）。なお、送信する通信端末装置は、あらかじめ移動体通信端末装置に設定登録された別の通信端末装置に対して送信することとなる。
【００３７】
まず、ＣＰＵ３は、救済回路１から送信されたメモリ読み出し指示１０をメモリ２に送信し、メモリ２から読み出されたメモリ登録情報１１を変換回路４に送信する。なお、ＣＰＵ３は、救済回路１の指示に従って読出用アドレス単位の読み出し処理を実行しており、変換回路４に対しても読出用アドレス単位でメモリ登録情報１２が送信される。これを受信した変換回路４は、読出用アドレス単位に送信可能なデータに変換する。なお、送信可能なデータとは、パケット通信であれば、ＣＰＵ３から受信したメモリ登録情報１２をパケット化することを示す。なお、変換回路４は、ＣＰＵ３によるメモリ登録情報１１の読み出し処理が終了するまで同様なデータ変換処理を行い、救済回路１から全アドレス読み出し終了信号１５を受信することでデータ変換処理を終了する。
そして、変換回路４は、送信可能なデータ形式に変換したメモリ登録情報１３を送信回路５に送信する。
【００３８】
なお、送信回路５は、移動体通信端末装置からのメール送信を可能とする既存内部回路に相当する回路であり、送信回路５は、救済回路１から指示信号１６を受信することで、通常のメール送受信動作を停止する。これにより、送信回路５は、送信可能なデータ形式に変換したメモリ登録情報１３を変換回路４から受信することが可能となる。なお、受信したメモリ登録情報１３は、通常のメール送信と同様の動作により、送信先のアドレスの通信端末装置に対して送信される。この時、送信回路５は、救済回路１からの指示信号１６と共に送信される送信先のアドレス情報を認識してメモリ登録情報１４をアンテナ７に送信し、アンテナ７から送信先のアドレス情報を保持する通信端末装置に送信される。なお、この送信先のアドレス情報は、移動体通信端末装置を保持するユーザ自身が事前に登録しているものであり、これにより、メモリ２の保持するメモリ登録情報は移動体通信端末装置に登録された送信先のアドレス情報の通信端末装置に対して送信される。
【００３９】
次に、救済回路１は、メモリ２の保持するメモリ登録情報が全て読み出されたと判定した場合、即ち、メモリ登録情報の読み出し処理が終了したと判定した場合は（ステップＳ７／ＹＥＳ）、救済回路１によるクロック停止指示１７により、移動体通信端末装置の不正使用を防止すべく移動体通信端末装置の機能停止処理を実行させる（ステップＳ８）。これは、ＣＰＵ３の動作用に供給されるクロック１８を停止させることで実現する。クロック作成回路６は、ＣＰＵ３に対して動作用クロックを供給している回路であり、救済回路１は、クロック作成回路６の動作を停止させることで、ＣＰＵ３の動作を停止させる。これにより、移動体通信端末装置自体の保持する全ての機能が停止することとなり、不正使用を防止することが可能となる。
【００４０】
このように、紛失、盗難等に遭遇した移動体通信端末装置に対して、救済回路起動用メールアドレスとパスワードとを送信することで、あらかじめ移動体通信端末装置に設定登録された優先順にメモリ２からメモリ登録情報を読出用アドレス単位で読み出し、別の通信端末装置に送信することで、移動体通信端末装置の保持するメモリ登録情報の消失を防止することが可能となる。
【００４１】
また、メモリ２内に保持するメモリ登録情報を読出用アドレス単位で優先順に区分して管理し、救済回路が起動した際に、優先順にメモリ登録情報を読出用アドレス単位で読み出し、別の通信端末装置に送信することで、所有者本人が必要とする情報を優先的に取得することが可能となる。
【００４２】
また、メモリ２内に保持する全てのメモリ登録情報が読み出されたと判定した場合は、救済回路１によるクロック停止指示１７により、移動体通信端末装置の不正使用を防止すべく移動体通信端末装置の機能停止処理を実行する。これにより、移動体通信端末装置自体の保持する全ての機能が停止することとなり、不正使用を防止することが可能となる。
【００４３】
なお、上記処理において、移動体通信端末装置の具備するメール受信機能だけを活かすような停止処理を実行させるようにし、なおかつ、移動体通信端末装置に、あらかじめ、停止処理を解除するための情報を救済回路１に設定登録することで、移動体通信端末装置が返還された際に、再び、移動体通信端末装置を使用することが可能となる。
なお、停止処理を解除するための情報としては、停止処理を解除するためのメールアドレスを救済回路１に設定登録することも可能であり、救済回路起動用のメールアドレスと共に送信するパスワードを、停止処理を解除するための情報とし、救済回路１に設定登録することも可能である。
また、救済回路起動用に用いた時と同様なメールドレスとパスワードとを移動体通信端末装置が再び受信することで停止処理を解除するように設定登録することも可能である。
【００４４】
また、上記処理において、移動体通信端末装置の具備するメール受信機能だけを活かすような停止処理を実行させるようにし、なおかつ、移動体通信端末装置に、あらかじめ、機能停止処理を実行させるためのメールアドレスとパスワードとを設定登録するように設定することで、移動体通信端末装置の所有者本人の判断により、移動体通信端末装置の全ての機能を停止させる機能停止処理を実行させることが可能となる。
【００４５】
また、第１の実施の形態における上記処理をプログラムとして記録し、移動体通信端末装置において実行させることでも同様の処理を行うことも可能である。
【００４６】
（第２の実施の形態）
次に、本発明にかかる第２の実施の形態について説明する。
第２の実施の形態にかかる移動体通信端末装置は、メモリ２内に保持するメモリ登録情報を複数のキーワードを用いてアドレス単位で区分して管理する。これにより、紛失、盗難等に遭遇した移動体通信端末装置に対して、救済回路起動用メールアドレスと、パスワードと、メモリ２から読み出したいキーワードと、を送信することで、救済回路が起動された際に、送信されたキーワードと一致するメモリ登録情報のみをメモリ２から読み出し、別の通信端末装置に送信することが可能となる。
【００４７】
以下、第２の実施の形態における移動体通信端末装置について説明する。
まず、遠隔操作によるメモリ登録情報の読み出し処理を行う前に、あらかじめ移動体通信端末装置の具備する救済回路１に対して、メモリ登録情報の読み出し処理を実行するための救済回路起動用のメールアドレスとパスワードとを設定登録することが条件となる。
また、メモリ２に保持するメモリ登録情報をアドレス単位に区分するためのキーワードをメモリ２に設定登録することが条件となる。これにより、メモリ２に保持するメモリ登録情報は、メモリ２に設定登録されたキーワードを基にアドレス単位に区分されて管理されることとなる。
【００４８】
次に、図３を参照しながら第２の実施の形態における移動体通信端末装置に対する遠隔読み出し方法について説明する。
まず、救済回路１は、信号線８により、常に受信するメールアドレスを監視し、救済回路起動用のメールアドレスが受信したか否かを判定する（ステップＳ１０）。該判定により、救済回路起動用のメールアドレスが受信したと判定した場合は（ステップＳ１０／ＹＥＳ）、救済回路起動用のメールアドレスの電子メールを読み込み、タイトル部分の記述の参照し、タイトル部分の記述と、あらかじめ設定登録された救済回路起動用のパスワードと、が一致するか否かを判定する（ステップＳ１１）。該判定により参照したタイトル部分の記述が、事前に移動体通信端末装置に登録された救済回路起動用のパスワードと一致したと判定した場合は（ステップＳ１１／ＹＥＳ）、救済処理となるメモリ登録情報の読み出し処理を開始する。
【００４９】
次に、救済処理となるメモリ登録情報の読み出し処理が開始されると、救済回路１は、救済処理以外の全処理を停止させると共に、移動体通信端末装置における外部入力を全て無効にさせる停止処理を実行させる（ステップＳ１２）。これにより、移動体通信端末装置の具備する操作キーを使用して各機能を実行することもできなくなり、第３者による不正使用を防止することが可能となる。
【００５０】
次に、救済回路１は、ＣＰＵ３に対してメモリ２内に保持するメモリ登録情報の読み出し指示を行う（ステップＳ１３）。次に、ＣＰＵ３は、救済回路１から受信したメモリ登録情報の読み出し指示により、メモリ２からメモリ登録情報１１の読み出し処理を実行する（ステップＳ１４）。この時、ＣＰＵ３は、救済回路起動用のメールアドレスと共に救済回路１が受信したキーワードを基に、キーワードと一致するメモリ登録情報１１を読み出す（ステップＳ１５）。そして、該読み出したメモリ登録情報１１は、変換回路４に送信される。次に、変換回路４は、ＣＰＵ３から受信したメモリ登録情報１２に対してパケット処理を施し（ステップＳ１６）、パケット処理が施されたメモリ登録情報１３が送信回路５に送信される。送信回路５は、該受信したメモリ登録情報１３を、通常のメール送信と同様に、送信先のアドレスの通信端末装置に対して送信する（ステップＳ１７）。なお、送信回路５は、救済回路１から指示信号１６を受信することで、通常のメール送受信動作を停止し、パケット処理が施されたメモリ登録情報１３を変換回路４から受信することが可能となる。この時、送信回路５は、救済回路１からの指示信号１６と共に送信される送信先のアドレス情報を認識してメモリ登録情報１４をアンテナ７に送信し、アンテナ７から送信先のアドレス情報を保持する通信端末装置に送信することとなる。
【００５１】
このように、移動体通信端末装置に対して、あらかじめ、救済回路起動用のメールアドレスと、パスワードとを設定登録し、また、移動体通信端末装置の保持するメモリ登録情報を複数のキーワードを基に区分してアドレス単位で管理することで、紛失、盗難等に遭遇した移動体通信端末装置に対して、別の通信端末装置から、救済回路起動用のメールアドレスと、パスワードと、所有者本人が取得したいメモリ登録情報のキーワードと、を送信することで、移動体通信端末装置に保持する様々なメモリ登録情報の中から所有者本人が取得したいメモリ登録情報だけを取得することが可能となり、また、遠隔操作による読み出し処理の時間を削減することも可能となる。
【００５２】
なお、上記処理において、救済処理となるメモリ登録情報の読み出し処理が開始される際に行われる、救済処理以外の全処理を停止させると共に、移動体通信端末装置における外部入力を全て無効にさせる停止処理を実行するのではなく、移動体通信端末装置の具備するメール受信機能だけを活かすような停止処理を実行させるようにすることで、移動体通信端末装置の所有者本人が取得したいメモリ登録情報の読み出し処理を複数回行うようにすることが可能となる。また、この時、救済回路１に、メモリ登録情報の読み出し処理が行われた回数を記録し、所定数の読み出し処理が行われた際に、メモリ登録情報の読み出し処理を停止するように設定することも可能である。また、救済回路起動用のメールアドレスを受信した回数を記録し、所定数の受信が行われた際に、メモリ登録情報の読み出し処理を停止するように設定することも可能である。
【００５３】
また、上記処理において、救済処理となるメモリ登録情報の読み出し処理が開始される際に行われる、救済処理以外の全処理を停止させると共に、移動体通信端末装置における外部入力を全て無効にさせる停止処理を実行するのではなく、移動体通信端末装置の具備するメール受信機能だけを活かすような停止処理を実行させるようにし、なおかつ、移動体通信端末装置に、あらかじめ停止処理を解除するための情報を救済回路１に設定登録することで、移動体通信端末装置が返還された際に、再び、移動体通信端末装置を使用することが可能となる。
なお、停止処理を解除するための情報としては、停止処理を解除するためのメールアドレスを救済回路１に設定登録することも可能であり、救済回路起動用のメールアドレスと共に送信するパスワードを、停止処理を解除するための情報とし、救済回路１に設定登録することも可能である。
【００５４】
また、第２の実施の形態における上記処理をプログラムとして記録し、移動体通信端末装置において実行させることでも同様の処理を行うことも可能である。
【００５５】
なお、上述する実施の形態は、本発明の好適な実施の形態であり、本発明の要旨を逸脱しない範囲内において種々変更実施が可能である。
例えば、盗難、紛失等に遭遇した移動体通信端末装置の電源が未投入の場合には、電源投入と同時に制御チャネル回線を用いた発信が自動的になされるので、その発信に応答する基地局において、救済回路起動用の電子メールをあらかじめ準備することで、盗難、紛失等に遭遇した移動体通信端末装置に電源投入がなされると同時に救済回路起動用の電子メールが送信されることとなり、救済回路が起動することとなる。
【００５６】
また、上記実施の形態において用いられる救済回路起動用のパスワードとしては、記号や、画像、認証コード（二次元コード等）等を用いることも可能である。
例えば、携帯電話等に具備する画像読取機能を用いて自分の顔写真や映像を取り込み救済回路起動用のパスワードとして設定登録し、別の通信端末装置から自分の顔写真や映像を取り込み、パスワードとして送信することでメモリ登録情報の読み出し処理を実行させるようにすることも可能である。
【００５７】
【発明の効果】
以上の説明により明らかなように本発明は以下のような効果を奏する。
第１の効果としては、移動体通信端末装置の紛失、盗難等に遭遇した場合でも、遠隔操作により、メールアドレスとパスワードとを移動体通信端末装置に送信することで、移動体通信端末装置は、該受信したメールアドレスが、あらかじめ移動体通信端末装置に設定された救済回路起動用のメールアドレスと一致するか否かを判定し、該判定により一致すると判定した場合に、パスワードの参照処理を実行し、該参照したパスワードがあらかじめ設定登録されたパスワードと一致した場合に、移動体通信端末装置の保持する登録情報を別の端末装置に読み出すことが可能となるため、移動体通信端末装置に保持する登録情報の消失を防止することが可能となる。これにより、移動体通信端末装置の所有者以外の者による登録情報の不正アクセスまたは不正使用を防止することが可能となる。
【００５８】
第２の効果として、紛失、盗難等に遭遇した移動体通信端末装置の保持する登録情報を、移動体通信端末装置にあらかじめ設定登録した優先順で読み出すことが可能となるため、移動体通信端末装置の所有者本人が取得したい登録情報を優先的に取得することが可能となる。
【００５９】
第３の効果として、移動体通信端末装置の保持する登録情報を、所定のキーワードを用いて区分して管理し、救済回路起動用のメールアドレスとパスワードと共に所有者本人が取得したい登録情報のキーワードを受信することで、該受信したキーワードに応じた登録情報を読み出すことが可能となるため、移動体通信端末装置に所有者本人が取得したい登録情報のみを取得することが可能となる。
【００６０】
第４の効果として、別の通信端末装置を用いて紛失、盗難等に遭遇した移動体通信端末装置の使用可否設定を遠隔操作により設定できるため、移動体通信端末装置の所有者以外の第３者による登録情報の不正アクセスまたは移動体通信端末装置の不正使用を防止することが可能となる。また、紛失、盗難等に遭遇した移動体通信端末装置が所有者本人に返還された際に、使用可否設定を解除するための情報を移動体通信端末装置が受信することで、該設定した使用可否設定を解除することが可能となり、再び移動体通信端末装置を使用することが可能となる。
【図面の簡単な説明】
【図１】本発明にかかる移動体通信端末装置の構成を示すブロック図である。
【図２】第１の実施の形態における遠隔読み出し処理を説明するためのフローチャートである。
【図３】第２の実施の形態における遠隔読み出し処理を説明するためのフローチャートである。
【符号の説明】
１  救済回路
２  メモリ
３  ＣＰＵ
４  変換回路
５  送信回路
６  クロック作成回路
７  アンテナ
【図１】
2004207993.tif 000003
【図２】
2004207993.tif 000004
【図３】
2004207993.tif 000005